(57)【要約】  【課題】  撮像装置にアイコン作成機能を具備させると共に、所定の処理実行時にアイコンを表示させて容易に処理内容を確認できるようにする。【解決手段】  撮像装置１は、第１実装メモリ１７にアイコンを作成する処理内容及びアイコンの表示形態等を規定した装置プログラム２０を記憶すると共に、光ディスクＤへ撮像画像を記録する際の管理情報をバックアップ的に記録する第２実装メモリ１８の空き領域に作成したアイコン２２の画像データを記憶する。作成されたアイコン２２は、撮像装置１を行う処理のいずれかに対応付けられ、その処理が実行されると、その処理に対応付けられたアイコンを表示パネル８に表示すると共に、処理の実行状況に応じてアイコンの表示形態を変更する。【選択図】      図２
2006325008.tif 000002
【特許請求の範囲】
【請求項１】
撮像手段で取得した撮像画像を表示する表示部を備える撮像装置において、
前記表示部で表示した撮像画像中の範囲を指示する範囲指示を受け付ける手段と、
範囲指示を受け付けた場合、該範囲指示に係る範囲を特定する特定手段と、
該特定手段が特定した範囲に含まれる画像に基づいて図形を作成する図形作成手段と、
該図形作成手段が作成した図形を撮像に関連した複数種類の処理のいずれかに対応付ける対応指示を受け付ける手段と、
対応指示を受け付けた場合、該対応指示に基づいて図形及び処理を対応付ける手段と、
図形が対応付けられた処理が実行された場合、該図形を前記表示部に表示する処理を行う表示処理手段と
を備えることを特徴とする撮像装置。
【請求項２】
撮像手段で取得した撮像画像を表示する表示部を備える撮像装置において、
作図指示を受け付ける手段と、
受け付けた作図指示に応じて前記表示部で作図を行う作図手段と、
該作図手段が作図を行った内容に基づいて図形を作成する図形作成手段と、
該図形作成手段が作成した図形を撮像に関連した複数種類の処理のいずれかに対応付ける対応指示を受け付ける手段と、
対応指示を受け付けた場合、該対応指示に基づいて図形及び処理を対応付ける手段と、
図形が対応付けられた処理が実行された場合、該図形を前記表示部に表示する処理を行う表示処理手段と
を備えることを特徴とする撮像装置。
【請求項３】
図形が対応付けられた処理の実行状況に応じて、前記表示部に表示する図形を回転させる手段を備える請求項１又は請求項２に記載の撮像装置。
【請求項４】
図形が対応付けられた処理の実行状況に応じて、前記表示部に表示する図形を点滅させる手段を備える請求項１又は請求項２に記載の撮像装置。
【請求項５】
図形が対応付けられた処理の実行状況に応じて、前記表示部に表示する図形の色を変更する手段を備える請求項１又は請求項２に記載の撮像装置。
【請求項６】
図形が対応付けられた処理の実行状況に応じて、前記表示部に表示する図形の一部を消去する手段を備える請求項１又は請求項２に記載の撮像装置。
【請求項７】
前記撮像手段で取得した撮像画像をディスク状の記録媒体に記録する処理を行う記録処理手段と、
該記録処理手段の記録処理に係る情報及び前記図形を記憶するメモリとを備える請求項１乃至請求項６のいずれか１つに記載の撮像装置。
【発明の詳細な説明】
【技術分野】
【０００１】
本発明は、ユーザが作成した図形（アイコン）を適宜表示可能にすると共に、光ディスクへのデータ書き込みに必要な管理情報をバックアップ的に記憶するメモリの記憶容量を活用して、作成したアイコンを保存できるようにした撮像装置に関する。
【背景技術】
【０００２】
従来、デジタルカメラ、デジタルビデオカメラと云った静止画、動画の撮像を行う様々な種類の撮像装置が普及している。このような撮像装置では、撮像画像を記録する記録媒体として様々な種類のメディアが適用されており、静止画を主に撮像する撮像装置は記録媒体として半導体メモリを用いることが多く、動画を主に撮像する撮像装置は記録媒体として磁気テープが用いる場合が多い。また、近時、動画を主に撮像とする撮像装置の中には、記録媒体としてＤＶＤ−ＲＷ、ＤＶＤ−ＲＡＭ等の各種光ディスクを用いる装置も存在する（特許文献１参照）。
【０００３】
上述した各種撮像装置の殆どは、撮像画像を表示する表示部を具備しており、また、表示部には撮像画像以外に、撮像に係る各種機能を設定するメニュー、各種機能の状態を示すアイコン等も表示されるようにしている。表示されるアイコンの例としては、バッテリの残量を示すアイコン、設定しているフォーカスの程度を示すアイコン等があり、これらアイコンが表示されることで、ユーザは機器の状況を確認できる。
【特許文献１】特開平１１−７２３４８号公報
【発明の開示】
【発明が解決しようとする課題】
【０００４】
撮像画像を記録する記録媒体として光ディスクを用いている撮像装置は、光ディスクに撮像画像を記録する際、光ディスクの記録領域のどの箇所（アドレス）に撮像画像のデータを書き込んだかを示す管理情報（記録処理に係る情報）も光ディスクに記録している。この管理情報は、光ディスクに記録されたデータを読み出す際の参照に必要なため、非常に重要である。しかし、何らかの不具合により光ディスクへ管理情報が書き込めない場合に備えて、撮像装置内に設けた実装メモリに管理情報をバックアップ的に記憶し、管理情報の内容が失われるのを防止する仕様の装置が存在する。
【０００５】
上述した実装メモリは、管理情報が光ディスクへ書き込めない状況が発生しても素早く管理情報を保持できるように、不揮発性で且つ高速の書き込み性能が要求される。このような要求を満たすメモリとしてはＮＡＮＤ型フラッシュメモリが最適であるが、ＮＡＮＤ型フラッシュメモリの最小記憶容量は一般的に１２８Ｍｂｉｔであるため、約４Ｍｂｉｔのデータ量の管理情報の記憶に最小記憶容量のＮＡＮＤ型フラッシュメモリを用いても、記憶容量の大部分が使用されないままとなり、実装メモリの記憶容量が過度で無駄が大きいと云う問題がある。
【０００６】
一方、従来の撮像装置では、表示部に示されるアイコンの種類は予め決められているため、画一的なアイコンが表示されるに留まり、ユーザが独自にアイコンを作成したり、撮像画像を利用して新たなアイコンを作成するような機能は存在しなかった。そのため、撮像画像の各種処理状態を示すアイコンをユーザがカスタマイズする楽しさを提供できていないと云う問題がある。
【０００７】
本発明は、斯かる事情に鑑みてなされたものであり、ユーザの操作又は撮像画像の利用により独自のアイコン（図形）を作成し、作成したアイコンを処理に対応付けて、その処理の実行中に対応するアイコンを表示できるようにした撮像装置を提供することを目的とする。
また、本発明は、アイコンの表示形態を処理の実行状況に応じて変化させて、処理状況を容易に把握できるようにした撮像装置を提供することを目的とする。
さらに、本発明は、作成したアイコンを管理情報のバックアップ用の実装メモリの空き領域に記憶して、実装メモリを有効利用できるようにした撮像装置を提供することを目的とする。
【課題を解決するための手段】
【０００８】
上記課題を解決するために本発明に係る撮像装置は、撮像手段で取得した撮像画像を表示する表示部を備える撮像装置において、前記表示部で表示した撮像画像中の範囲を指示する範囲指示を受け付ける手段と、範囲指示を受け付けた場合、該範囲指示に係る範囲を特定する特定手段と、該特定手段が特定した範囲に含まれる画像に基づいて図形を作成する図形作成手段と、該図形作成手段が作成した図形を撮像に関連した複数種類の処理のいずれかに対応付ける対応指示を受け付ける手段と、対応指示を受け付けた場合、該対応指示に基づいて図形及び処理を対応付ける手段と、図形が対応付けられた処理が実行された場合、該図形を前記表示部に表示する処理を行う表示処理手段とを備えることを特徴とする。
【０００９】
本発明にあっては、撮像画像中の一部の範囲に含まれる画像に基づいて図形（アイコン）を作成すると共に、そのアイコンを表示部で表示するので、ユーザは撮像画像を利用して独自のアイコンを表示できるようになり、撮像装置に新たな付加価値を設けて撮像画像に関連させてアイコンをカスタマイズできるという楽しみをユーザに提供できる。また、アイコンの表示は対応付けられた処理が実行された場合に行われるので、アイコンの表示により現在実行中の処理を把握可能となり、特に、表示されるアイコンが独自に作成されたものであるため、ユーザの注目度も高くなり、予め設定されたアイコンを表示する場合に比べて、実行されている処理の認識度を高められる。
【００１０】
なお、本発明に係る図形（アイコン）とは、撮像装置の処理状態及び設定内容等を示す一種の記号に相当し、この意味において、図形をアイコンと称している。また、表示部でのアイコンの表示形態は、アイコンのみの表示、撮像画像へアイコンを重複表示する形態等があり、アイコンを対応付ける撮像に関連した処理の種類としては、撮像画像の記録処理、撮像画像を記録するための記録容量の残量検出処理、撮像を維持するためのバッテリ残量の検出処理、被写体の注意を集めて良好な撮像を行うためのタリーランプ的な表示処理、自動撮像を行うためのセルフタイマーに係る処理等が挙げられる。
【００１１】
また、本発明に係る撮像装置は、撮像手段で取得した撮像画像を表示する表示部を備える撮像装置において、作図指示を受け付ける手段と、受け付けた作図指示に応じて前記表示部で作図を行う作図手段と、該作図手段が作図を行った内容に基づいて図形を作成する図形作成手段と、該図形作成手段が作成した図形を撮像に関連した複数種類の処理のいずれかに対応付ける対応指示を受け付ける手段と、対応指示を受け付けた場合、該対応指示に基づいて図形及び処理を対応付ける手段と、図形が対応付けられた処理が実行された場合、該図形を前記表示部に表示する処理を行う表示処理手段とを備えることを特徴とする。
【００１２】
本発明にあっては、ユーザからの作図指示に応じて表示部で作図を行うと共に、作図された内容をアイコン化するので、ユーザは自由にアイコンを作成できるようになり、撮像装置にアイコン作成と云う新たな機能を設けて独自のアイコンを表示部に表示させると云う楽しみをユーザに提供できる。また、作成されたアイコンは、そのアイコンに対応付けられた処理が実行された場合に表示されるので、アイコンの表示により現在実行中の処理を把握可能となる。なお、作図手段が行う具体的な作図に係る処理としては、作図指示に応じて輪郭線を描くこと、輪郭線で囲まれた範囲内を色付けること等があり、また、図形作成手段の具体的な処理としては、作図された内容を形成する画素を間引いてアイコン化すること等が挙げられる。
【００１３】
さらに、本発明に係る撮像装置は、図形が対応付けられた処理の実行状況に応じて、前記表示部に表示する図形を回転させる手段を備えることを特徴とする。
本発明にあっては、アイコンが対応付けられた処理の実行状況に応じて、アイコンを回転表示するので、表示されるアイコンの注目度が高められる。そのため、アイコンの回転表示は、撮像に関連した処理の中でタリーランプ的な表示処理、セルフタイマーに係る処理に好適であると共に、記録容量の残量検出処理で記録残量がミニマムに近付いた場合、バッテリ残量の検出処理でバッテリ残量がミニマムに近付いた場合等の警告として活用できる。
【００１４】
さらにまた、本発明に係る撮像装置は、図形が対応付けられた処理の実行状況に応じて、前記表示部に表示する図形を点滅させる手段を備えることを特徴とする。
本発明にあっては、アイコンが対応付けられた処理の実行状況に応じて、アイコンを点滅表示するので、アイコンの表示形態を確認することで処理状況を容易に確認できるようになる。例えば、セルフタイマーに係る処理にアイコンが対応付けられている場合、セルフタイマーによる撮像処理の開始に応じて表示部に表示されたアイコンが点滅表示されることになり、表示部を被写体となる人物側へ向ければ、被写体の人物の視線を撮像装置側へ集めることができ、良好な撮像を行える。また、タリーランプ的な処理にアイコンが対応付けられている場合も、被写体へ表示部を向けてアイコンを点滅表示させれば、被写体の注意を引くことができ、猫及び犬等の動物を撮像する場合も動物の注意を点滅表示するアイコンにより撮像装置の方へ集めて撮像を行える。
【００１５】
また、本発明に係る撮像装置は、図形が対応付けられた処理の実行状況に応じて、前記表示部に表示する図形の色を変更する手段を備えることを特徴とする。
本発明にあっては、アイコンが対応付けられた処理の実行状況に応じて、アイコンの色を変更するので、表示されるアイコンの色を確認することで処理の実行状況を判別できるようになる。例えば、撮像画像を記録する記録媒体の残量検出処理にアイコンが対応付けられている場合、検出した残量の結果が全記録容量と同程度であればアイコンを緑色、全記録容量の半分であればアイコンを黄色、全記録容量の１０分の１以下であればアイコンを赤色に変更することなどが考えられる。
【００１６】
さらに、本発明に係る撮像装置は、図形が対応付けられた処理の実行状況に応じて、前記表示部に表示する図形の一部を消去する手段を備えることを特徴とする。
本発明にあっては、アイコンが対応付けられた処理の実行状況に応じて、表示するアイコンの一部を消去するので、アイコンの表示具合を確認することで処理の実行状況を判別できるようになる。例えば、バッテリ残量の検出処理にアイコンが対応付けられている場合、検出したバッテリ残量の結果がフル充電状態であればアイコンを全て表示、バッテリ残量が半分であればアイコンを半分消去、バッテリ残量がフル充電状態の５分の１であればアイコンの５分の４を消去することが考えられる。
【００１７】
さらにまた、本発明に係る撮像装置は、前記撮像手段で取得した撮像画像をディスク状の記録媒体に記録する処理を行う記録処理手段と、該記録処理手段の記録処理に係る情報及び前記図形を記憶するメモリとを備えることを特徴とする。
【００１８】
本発明にあっては、管理情報の記憶用のメモリに、作成したアイコンを記憶するので、ＮＡＮＤ型フラッシュメモリのような高速書き込みが可能で且つ記憶容量が大きいフラッシュメモリを用いても、メモリの記憶容量をアイコンの記憶用として有効に活用できるようになる。よって、高速書き込みが可能で且つ記憶容量が大きいフラッシュメモリを管理情報の記憶用に躊躇なく適用でき、管理情報をディスク記録媒体へ記録する際に不具合が発生しても、管理情報はメモリへ素早くバックアップされて管理情報の消失を確実に防止できる。
【発明の効果】
【００１９】
本発明にあっては、撮像画像中の画像に基づいてアイコンを作成し、そのアイコンを撮像装置のいずれかの処理に対応付けて、その処理の実行中にアイコンを表示するので、独自のアイコンを処理の実行に関連付けて表示でき、アイコン作成と云う新たな機能をユーザに提供できると共に、処理内容の確認に対するアピール度も独自のアイコンにより向上できる。
【００２０】
また、本発明にあっては、ユーザからの作図指示に応じて作図された内容をアイコン化すると共に、作成されたアイコンを撮像装置のいずれかの処理に対応付けて、その処理の実行中にアイコンを表示するので、自由にアイコンを作成すると云う新たな機能をユーザに提供でき、その上、ユーザが自ら作成したアイコンの表示により処理内容の確認に対する注目度も向上され、ユーザは確実に装置の実行状況を認識できる。
【００２１】
さらに、本発明にあっては、アイコンが対応付けられた処理の実行状況に応じて、アイコンを回転表示、点滅表示するので、表示するアイコンの注目度を高めることができ、撮像装置の処理状況をより広くアピールできる。
さらにまた、本発明にあっては、アイコンが対応付けられた処理の実行状況に応じてアイコンの色を変更、アイコンの一部を消去するので、アイコンの表示形態により撮像装置の処理の状況を一目で把握できる。
【００２２】
また、本発明にあっては、管理情報の記憶用のメモリに、作成したアイコンを記憶するので、高速書き込みが可能で且つ記憶容量が大きいフラッシュメモリを用いても、メモリの大きい記憶容量をアイコンの記憶に活用でき、さらに、管理情報をディスク状の記録媒体へ記録する際に不具合が発生しても、高速書き込みにより管理情報を確実にバックアップして管理情報の消失を防止できる。
【発明を実施するための最良の形態】
【００２３】
図１は、本発明の実施形態に係る撮像装置１を示す。本実施形態の撮像装置１は、撮像した画像を記録するディスク状の記録媒体にＤＶＤ−ＲＷ、ＤＶＤ−ＲＡＭ等の光ディスクを用いており、通常の撮像機能に加えてユーザが独自にアイコンを作成して適宜表示可能にしたことが特徴である。なお、本実施形態の撮像装置１は静止画及び動画の両方の撮像に対応しているが、静止画又は動画のいずれか一方の撮像のみに対応した構成にしてもよい。また、記録媒体の種類としては、ＢＤ（ブルーレイディスク）、ＨＤ  ＤＶＤ（High Definition ＤＶＤ）等の光ディスクを用いる構成も可能である。
【００２４】
撮像装置１は、ボックス状の筐体２の前面２ａに撮像レンズ３を設け、背面側にはビューファインダ部７を設けると共に、一方の側面２ｂに窪部２ｃを形成し、その窪部２ｃの内部にモニタ部４を開閉可能に設けている。また、撮像装置１は、筐体２の側面２ｂの上方には上下左右キー５ａ〜５ｄ及び決定キー５ｅ等の複数の操作キーで構成される操作部５を設けており、他方の側面２ｄには光ディスクを収納する収納部６を取り付けている。
【００２５】
ビューファインダ部７を覗くとビューファインダ用表示パネル１４（図２参照）を確認できるようになっており、また、光ディスクの収納部６は筐体２に対し回動可能にして、ユーザが収納部６を把持することで撮像方向を自由に変えられるようにしている。なお、図１は、モニタ部４の表示パネル８にユーザが作成したアイコン２５を表示した状態を示しており、本実施形態ではアイコン２５の表示形態がアイコン２５に対応付けられた処理状況に応じて変化（回転表示、点滅表示、色変更、一部消去等）するようにしている。
【００２６】
図２は、撮像装置１の本発明に関連する箇所の内部構成を示すブロック図である。撮像装置１は、全体的な各種制御を行う中央制御部１０に対して撮像処理部１２、表示処理部１３、記録コントロール部１５、第１実装メモリ１７、第２実装メモリ１８、及び操作部５を接続している。また、撮像処理部１２には撮像手段に相当するＣＣＤ（Charge Coupled Device）１１が接続されており、表示処理部１３にはビューファインダ用表示パネル１４及びモニタ部４に設けられた表示パネル８が接続されている。さらに、撮像装置１は、各部へ給電を行うバッテリ１９が装着されるようになっており（給電線の図示は省略）、装着されたバッテリ１９の給電できる残量は、検出線２３を通じて中央制御部１０で検出されている。以下、撮像装置１を構成する上述した各部を説明する。
【００２７】
撮像処理部１２は、ＣＣＤ１１で撮像により取得されたアナログの撮像画像を所定の増幅率で増幅する処理、増幅した画像信号を一定のタイミング毎にサンプリングする相関二重サンプリング処理（ＣＤＳ）、ＣＤＳのサンプリング処理により得られた各値をデジタル信号に変換してデジタルの画像信号を得る処理等を中央制御部１０の制御に基づき行っている。なお、撮像処理部１２は、バッファメモリ（図示せず）を有して処理中の画像信号を一時的に記憶可能にしており、また、処理が済んだ画像信号（撮像画像）を表示処理部１３又は記録コントロール部１５へ出力可能にしている。
【００２８】
表示処理部１３は、ＣＣＤ１１で撮像された撮像画像をビューファインダ用表示パネル１４及び表示パネル８で表示させるための処理を行うものであり、撮像画像以外にも図３（ａ）（ｂ）等に示す各種メニュー２６、２７及びアイコン２５（図１参照）の表示等に係る処理も行う。また、表示処理部１３は、表示するアイコン２５を回転、点滅させる処理、さらには図８（ａ）〜（ｃ）に示すように表示中のアイコン４４の色を変更する処理、図９（ａ）〜（ｃ）に示すように表示するアイコン４３の一部を消去していく処理等も行う。なお、表示処理部１３は、上述した各種処理を中央制御部１０の制御に基づいて行い、表示に係るデータを一時的に記憶する表示用バッファメモリ（図示せず）を有する。
【００２９】
記録コントロール部１５は、撮像装置１に脱着可能に装着される光ディスクＤに撮像画像を記録する処理を行っており、撮像処理部１２で処理された撮像画像を光ディスクＤへ記録するために、移動可能な光ピックアップ部、光ディスクを保持して回転させる駆動回転部等を具備している。また、記録コントロール部１５は、光ディスクＤへ撮像画像を記録する際には、光ディスクＤの記憶領域中のいずれの箇所（アドレス）に、その撮像画像を記録するかを示す管理情報を生成して記憶領域の所定箇所に記録する処理を行う。
【００３０】
なお、記録コントロール部１５は、上述した記録に係る処理を中央制御部１０の制御に基づき行っており、また、記録コントロール部１５が生成した管理情報は、光ディスクＤへの記録が完了するまではバックアップ的に第２実装メモリ１８で記憶されるようになっている。さらに、本実施形態の記録コントロール部１５は、装着される光ディスクＤの空き容量を検出する処理も中央制御部１０の制御により行う。
【００３１】
第１実装メモリ１７は不揮発性のフラッシュメモリであり、本実施形態ではＮＯＲ型のフラッシュＲＯＭを用いている。第１実装メモリ１７は、撮像に係る処理を含む撮像装置１の全体的な処理内容を規定した装置プログラム２０及び各種メニューのデータ等を予め記憶しており、装置プログラム２０の規定する処理に基づき中央制御部１０が各種処理を行う。なお、第１実装メモリ１７の記憶内容の読み出し速度は、第２実装メモリ１８に比べて速いため、中央制御部１０は、装置プログラム２０に規定された内容を迅速に読み出してスムーズな制御処理を行える。
【００３２】
一方、第２実装メモリ１８は、上述した記録コントロール部１５が光ディスクＤへ撮像画像を記録する際に生成される管理情報２１を中央制御部１０の制御に基づき記憶するものであり、不揮発性のフラッシュメモリとして第１実装メモリ１７に比べて書き込み速度が速いＮＡＮＤ型のフラッシュＲＯＭを用いて、バッテリ切れ、ユーザの不注意な電源スイッチオフ操作等の不測の事態により光ディスクＤへ管理情報２１を書き込めない場合に管理情報２１を確実に保持できるようにしている。なお、第２実装メモリ１８は、接続部１６を介して中央接続部１０に接続されており、このように接続部１６を設けているのは、本実施形態の中央制御部１０に２種類の実装メモリ１７、１８を直接的に接続できるコネクタが設けられていないためである。
【００３３】
また、第２実装メモリ１８には、記憶容量が１２８Ｍｂｉｔのものを用いており、管理情報２１のデータ量は約４Ｍｂｉｔであるため、管理情報２１を記憶する領域を確保した上で、他の領域には、後述する処理で作成された各種アイコン２２（アイコンの画像データ）が中央制御部１０に制御により記憶される。
【００３４】
図１、２に示す操作部５は、各キー５ａ〜５ｅ等ごとに所定の操作信号が割り当てられており、各キー５ａ〜５ｅ等がユーザにより押圧されると、ユーザからの各種指示を受け付けたことになり、割り当てられた操作信号を中央制御部１０へ送る。なお、本実施形態では、撮像画像中の範囲を指示する範囲指示及び作図指示等の各種指示を受け付ける手段として、操作部５は機能している。また、中央制御部１０は、操作部５から送られた操作信号に基づいて所定の処理を行うことになる。
【００３５】
中央制御部１０は第１実装メモリ１７に記憶された装置プログラム２０が規定する内容に従い所定の処理を行うものであり、撮像装置１の電源スイッチがオンされると中央制御部１０が起動し各種処理を行う。中央制御部１０が行う処理の一つに、撮像装置１の処理モードをユーザに選択させる内容がある。詳しくは、図３（ａ）に示すモード選択メニュー２６を表示パネル８に表示させる制御を中央制御部１０が行い、ユーザが操作部５の上下キー５ａ、５ｂを操作することに応じて選択対象を移動し、決定キー５ｅが操作されたときに選択されているモードを実行するようにしている。
【００３６】
なお、選択対象となる各モードの中で、撮像モードは撮像装置１の撮像機能を作動させて撮像処理を行うモードであり、再生モードは光ディスクＤに記録された撮像画像を記録コントロール部１５で読み出して表示パネル８で再生表示する処理を行うモードであり、管理・設定モードは撮像に係る各種内容等の設定を行うモードである。また、アイコン作成モードはアイコン作成機能を作動させるモードであり、モード選択メニュー２６でアイコン作成モードが選択された場合、中央制御部１０は、図３（ｂ）に示すアイコン作成方法選択メニュー２７を表示パネル８に表示させる処理を行う。
【００３７】
図３（ｂ）のアイコン作成方法選択メニュー２７は、撮像画像を利用してアイコンを作成する「撮像画像利用」と云う項目と、ユーザが自ら作図する「作図」と云う項目を選択できるようにしており、ユーザが操作部５の上下キー５ａ、５ｂを操作することに応じて選択対象を移動し、決定キー５ｅが操作されたときに選択されている項目を実行するようにしている。
【００３８】
「撮像画像利用」と云う項目が選択された場合、図４に示す画像選択メニュー３０を生成して表示パネル８に表示させる制御処理を中央制御部１０は行う。画像選択メニュー３０は、光ディスクＤに記録されている各種撮像画像の縮小化（サムネイル化）により生成した複数のサムネイル画像３０ａ〜３０ｆを配置したものであり、中央制御部１０の制御に従い記録コントロール部１５が順次撮像画像を読み出して、画像選択メニュー３０に配置するサムネイル画像３０ａ〜３０ｆを表示処理部１３が生成する。なお、光ディスクＤに記録されている撮像画像が静止画のときは、その静止画をサムネイル化しており、撮像画像が動画のときは、動画を形成する複数のフレームの中で最初のフレームに相当する画像をサムネイル化している。
【００３９】
また、図４の画像選択メニュー３０は、配置された各サムネイル画像３０ａ〜３０ｆを選択できるようにしており、ユーザが操作部５の上下左右キー５ａ〜５ｄを操作することに応じて選択対象を移動し、決定キー５ｅが操作されたときに選択されているサムネイル画像をアイコンの元図として使用するようにしている。
【００４０】
図５（ａ）は、表示パネル８に表示された範囲指定画面３１を示しており、この範囲指定画面３１は、図４の画像選択メニュー３０でいずれかのサムネイル画像が選択された場合に表示されるものであり、選択されたサムネイル画像に係る撮像画像中からアイコンの作成元になる画像を含む矩形状の範囲を指定できるように、ユーザの操作により表示パネル８における位置を変更できる矢印３２を表示している。なお、図５（ａ）に示す範囲指定画面３１は、図４の画像選択メニュー３０でサムネイル画像３０ｆが選択されたときの内容を示しており、ユーザが操作部５の上下左右キー５ａ〜５ｄを操作することに応じて中央制御部１０の制御に基づき矢印３２の位置が変更される。また、決定キー５ｅが操作されることで、その時の矢印３２の位置を矩形状の範囲の左上の点（始点）として中央制御部１０が決定する。
【００４１】
図５（ｂ）に示す範囲指定画面３１は、図５（ａ）の表示状態で中央制御部１０が始点３２ａを決定したときに、中央制御部１０の制御により表示パネル８に表示される内容を示しており、矢印３２の位置を変更することで矩形状の範囲３２ａの右下の点（終点）を指定して撮像画像から抽出する範囲を特定するものである。よって、ユーザの上下左右キー５ａ〜５ｄの操作に応じて中央制御部１０が矢印３２の位置を変更し、決定キー５ｅが操作されることで、中央制御部１０は範囲を指示する範囲指示を受け付けたことになり、その時の矢印３２の位置を矩形状の範囲３２ｂの右下の点（始点）として中央制御部１０が決定し、撮像画像の中からユーザにより指定された範囲３２ｂを特定する。
【００４２】
範囲３２ｂが特定されると、中央制御部１０は特定された範囲３２ｂに含まれる内容（画像）を元にして装置プログラム２０が規定する処理に従いアイコン（図形）を作成する処理を行う。具体的には、範囲３２ｂを形成する画素に含まれる色要素を検出し、色要素の色差が大きい色の境目となる輪郭線を特定し、その特定した輪郭線で囲まれる部分を抽出する。さらに、中央制御部１０は、抽出した部分の画素を間引いて規定の大きさのアイコンを作成する。
【００４３】
図５（ｃ）はアイコン登録画面３３を示し、アイコン登録画面３３は、上述した中央制御部１０の処理に基づき作成されたアイコン２５の登録をユーザに確認する内容を表示パネル８で表示するものであり、ユーザは操作部５の左右キー５ｃ、５ｄ及び決定キー５ｅを操作して「ＹＥＳ」又は「ＮＯ」を選択することで、作成したアイコン２５を保存するか否かを選択することになる。「ＹＥＳ」が選択された場合、中央制御部１０は作成したアイコン２５を形成するアイコン画像データを第２実装メモリ１８に記憶する処理を行う。また、「ＮＯ」が選択された場合、中央制御部１０はアイコン２５を破棄する。
【００４４】
一方、図６（ａ）に示す作図画面３５は、図３（ｂ）のアイコン作成方法選択メニュー２７で「作図」と云う項目が選択された場合に表示パネル８に表示されるものであり、画面中に移動可能な矢印３６が表示され、この矢印３６はユーザの上下左右キー５ａ〜５ｄの操作に応じて中央制御部１０が行う制御処理により表示位置が移動する。中央制御部１０は、上述したユーザの各キー５ａ〜５ｄの操作を作図指示として受け付けて、矢印３６の移動軌跡に従って作図線３７を描画表示し作図を行う。作図画面３５において描線の作図が完了し、ユーザが決定キー５ｅを操作すると、中央制御部１０は次に図６（ｂ）に示すカラーパレット３８を表示パネル８に表示させる処理を行う。
【００４５】
図６（ｂ）のカラーパレット３８は、複数種類の色が格子状に配置されたものであり、配置された複数の色の中からユーザが希望する色を選択できるようになっている。よって、ユーザは上下左右キー５ａ〜５ｄを操作することで、カラーパレット３８からアイコンに使用する色を選択し、決定キー５ｅを操作することで選択された色を決定することになる。中央制御部１０は、上述したようなユーザによる各種操作を作図指示として受け付け、図６（ａ）の作図画面３５で描かれた作図線３７で囲まれた部分に図６（ｂ）のカラーパレット３８から選択された色を付与すると共に、寸法を規定の大きさに調整してアイコン（図形）を作成する。
【００４６】
図６（ｃ）は作図により完成したアイコン４０の登録画面３９を示し、この登録画面３９は、図５（ｃ）のアイコン登録画面３３と同様に作成したアイコン４０を登録するか否かをユーザに確認するものであり、ユーザにより「ＹＥＳ」が選択された場合、中央制御部１０はアイコン４０の画像データを第２実装メモリ１８に記憶する処理を行い、「ＮＯ」が選択された場合、中央制御部１０はアイコン４０を破棄する処理を行う。
【００４７】
このように本発明に係る撮像装置１は、撮像画像の利用又はユーザによる作図に基づき新たなアイコンを自由に作成できる。さらに、本発明に係る撮像装置１では、作成したアイコンの画像データを第２実装メモリ１８に記憶するようにしているため、第２実装メモリ１８の記憶容量をアイコンの保存に活用でき、そのため第２実装メモリ１８に高速書き込みが可能なＮＡＮＤ型フラッシュＲＯＭを適用しても、ＮＡＮＤ型フラッシュＲＯＭの記憶容量が無駄になることもない。なお、ＮＡＮＤ型フラッシュＲＯＭの適用により、管理情報の光ディスクＤへの書き込み時に不測の事態が生じても、管理情報は確実にＮＡＮＤ型フラッシュＲＯＭ（第２実装メモリ１８）に保持される。
【００４８】
また、本発明に係る撮像装置１は、作成したアイコンを撮像装置１の各種処理の中のいずれか１つに対応付けられるようにしており、さらに、アイコンが対応付けられた処理が実行されると、そのアイコンが表示パネル８に表示されるようにしている。アイコンが対応付けられる処理としては、撮像画像を光ディスクＤへ記録する処理、光ディスクＤの記録可能な残量を検出する処理、バッテリ１９の給電可能な残量を検出する処理、撮像時におけるタリー表示に係る処理、セルフタイマーを利用した撮像処理等があり、これらの各処理は中央制御部１０の制御に基づき行われる。
【００４９】
また、上述した処理の中には、処理状況に応じてアイコンの表示形態を変化させるようにしているものもあり、具体的には表示形態を変化させる処理としては、光ディスクＤの記録残量の検出処理、バッテリ１９の給電残量の検出処理、タリー表示処理、セルフタイマー撮像処理等が挙げられる。本実施形態では、光ディスクＤの記録可能な残量を検出する処理に対しては表示するアイコンの色を変更するようにしており、バッテリ１９の給電可能な残量を検出する処理に対しては表示するアイコンの一部を消去するようにしており、撮像時にタリー表示に係る処理に対してはアイコンを回転表示し、セルフタイマーを利用した撮像処理に対してはアイコンを点滅表示するようにしている。
【００５０】
アイコンと処理との対応付けは、管理・設定モードで行えるようにしており、図３（ａ）のモード選択メニュー２６で管理・設定モードの項目が選択されると、中央制御部１０は図７（ａ）に示す管理・設定項目の項目選択画面４１を表示パネル８に表示させる制御を行う。項目選択画面４１の中のアイコン対応付けと云う項目が選択されると、中央制御部１０が、図７（ｂ）に示すように、第２実装メモリ１８に記憶されているアイコンを配置したアイコン選択メニュー４２を生成して表示パネル８に表示させる制御を行う。
【００５１】
図７（ｂ）のアイコン選択メニュー４２は、配置した各アイコン２５、４０、４３等を上下左右キー５ａ〜５ｄの操作により選択し、決定キー５ｅの操作により選択されたアイコンを処理に対応付けるものとして中央制御部１０が特定する処理を行う。中央制御部１０がアイコンを特定すると、次に、中央制御部１０は図７（ｃ）に示す処理選択メニュー４７を表示パネル８に表示させる処理を行う。
【００５２】
図７（ｃ）の処理選択メニュー４７は、アイコンを対応付けることが可能な撮像装置１の処理内容の項目を羅列したものであり、上下左右キー５ａ〜５ｄがユーザからの操作を対応指示として受け付けることで対応付ける処理の項目を選択し、その状態で決定キー５ｅがユーザの操作を受け付けると、その時点で選択されていた処理の項目に図７（ｂ）のアイコン選択メニュー４２で選択されたアイコンを対応付ける処理を中央制御部１０が行う。なお、アイコン選択メニュー４２では、対応付けられる各処理ごとに識別情報（図示せず）が付与されており、アイコンの対応付けが行われると、その情報がアイコンに係る画像データに付加されて第２実装メモリ１８に記憶される。
【００５３】
よって、中央制御部１０は、上述した各処理を実行する場合、実行する処理の識別情報を手掛かりに第２実装メモリ１８を検索し、対応付けられたアイコンと探し出して表示パネル８に表示させる処理を行う。なお、処理選択メニュー４７での対応付けの仕方によっては、ある処理に対して初期設定で対応付けられているアイコンを、新たに作成したアイコンに置き換えることも可能になる。
【００５４】
また、本実施形態では、上述した対応付けにより、図７（ｂ）で示す車のアイコン４４に光ディスクＤの記録残量の検出処理が対応付けられ、ビルのアイコン４３にバッテリ１９の給電残量の検出処理が対応付けられ、三重の塔のアイコン２５にタリー表示処理が対応付けられ、猫のアイコン４０にセルフタイマー撮像処理が対応付けられているものとする。
【００５５】
図８（ａ）は、表示パネル８に撮像画像５０を表示している状態を示し、この際、中央制御部１０は撮像画像５０の表示に並行して記録コントロール部１５を制御して光ディスクＤの記録可能な残量を検出する処理を行っており、その結果、表示パネル８に表示した撮像画像の右下に車のアイコン４４を重ね合わせて表示する。第１実装メモリ１７に記憶された装置プログラム２０は、光ディスクＤの記録可能残量が全記録容量の２分の１以上であれば作成されたアイコンの色をそのまま表示し、記録可能残量が全記録容量の２分の１未満１０分の１以上であればアイコンの色を黄色に変更し、記録可能残量が全記録容量の１０分の１未満になればアイコンの色を赤色に変更することを規定している。
【００５６】
よって、中央制御部１０は、記録コントロール部１５を制御して光ディスクＤの記録可能な残量を検出して、検出の結果、記録可能残量が全記録容量の２分の１以上であれば図８（ａ）に示すように、アイコン４４を設定された色で表示させる。また、検出の結果（検出処理の実行状況に応じて）、記録可能残量が全記録容量の２分の１未満１０分の１以上になれば、図８（ｂ）に示すようにアイコン４４の色を黄色（斜め右上がりのハッチングで表現）に変更したアイコン４４′を表示させる。
【００５７】
さらに、中央制御部１０は、検出の結果、記録可能残量が全記録容量の１０分の１未満になれば、図８（ｃ）に示すようにアイコン４４′の色を赤色（斜め右下がりのハッチングで表現）に変更したアイコン４４″を表示させる。このようにアイコン４４の表示形態を変化させることで、ユーザはアイコン４４の表示形態を確認すれば、記録できる残量を概算的に把握できる。なお、中央制御部１０は、アイコン４４を形成する画素が有する色要素を変更する指示を表示処理部１３に出すことで、上述した色変更を行う。
【００５８】
また、図９（ａ）は、表示パネル８に撮像画像５１を表示している状態を示し、この際、中央制御部１０は撮像画像５１の表示に並行してバッテリ１９の給電可能な残量を検出する処理を行っている。そのため、表示パネル８に表示された撮像画像５１の右下にビルのアイコン４３を重ね合わせている。第１実装メモリ１７に記憶された装置プログラム２０は、バッテリ１９の残量に応じて表示するアイコンの一部を消去することを規定しており、例えば、バッテリ１９がフル充電の場合はアイコンの全部を表示させ、バッテリ残量がフル充電の４分の３であればアイコンの一方向において端から４分の１の部分を消去し、バッテリ残量がフル充電の半分であればアイコンの一方向において端から半分を消去し、バッテリ残量がフル充電の５分の３であればアイコンの一方向において端から５分の４の部分を消去することを規定する。
【００５９】
よって、中央制御部１０は、撮像画像５１の表示中にバッテリ１９の残量を検出して、検出の結果、バッテリ１９がフル充電であれば図９（ａ）に示すようにアイコン４３の全てを表示させる。また、検出の結果、バッテリ残量が半分になれば、図９（ｂ）に示すように、縦方向における上半分の部分４３ａ（破線で示す範囲）を消去したアイコン４３′を表示させ、さらに、検出の結果、バッテリ残量が４分の１になれば、図９（ｃ）に示すように４分の３の部分４３ｂ（破線で示す範囲）を消去したアイコン４３″を表示させる。このようにアイコン４３の表示形態が変化することで、ユーザはアイコン４３の表示形態を確認すれば、バッテリを使用できる程度を概算的に把握できる。なお、中央制御部１０は、アイコン４３の消去する範囲に該当する撮像画像５１の画素をアイコン４３の消去する部分に重ねて表示する指示を表示処理部１３に出すことで、アイコン４３の一部を消去している。
【００６０】
さらに、第１実装メモリ１７に記憶された装置プログラム２０は、動画撮像時にタリーランプの代用として表示パネル８にアイコンを回転表示（タリー表示）させて撮像中であることを被写体へ伝える処理を規定している。管理・設定モードでタリー表示を行う設定が行われている状態で撮像モードに入ると、中央制御部１０はタリー表示に対応付けられた三重の塔のアイコン２５を表示パネル８に表示させる制御を行う。
【００６１】
動画撮像が開始されると、図１０（ａ）〜（ｃ）に示すように、中央制御部１０は、表示していたアイコン２５の中心を回転中心としてアイコン２５を右回りに回転させて表示させる制御処理を行う。この回転表示に係る処理は、中央制御部１０がアイコン２５の表示する角度を変更する指示を表示処理部１３へ出すことで行っている。このようにアイコン２５を回転させてタリー表示を行うことで、被写体は、動画撮像中であることを容易に認識することが可能になる。なお、タリー表示を行うときは、モニタ部４を開いて表示パネル８を被写体の方へ向ける必要がある。また、このようなタリー表示は、猫、犬のような動物を撮像する場合に、動物の注意を撮像装置１の方へ向けるような用途にも好適である。
【００６２】
さらにまた、第１実装メモリ１７に記憶された装置プログラム２０は、セルフタイマーで静止画撮像を行う場合、表示パネル８にアイコンを点滅表示させることを規定している。セルフタイマーの機能を作動させて撮像処理を行うとき、セルフタイマーの設定を行うと、猫のアイコン４０を表示パネル８に表示させ、セルフタイマーを作動させると、図１１（ａ）（ｂ）に示すように、中央制御部１０は猫のアイコン４０の表示及び非表示を繰り返し、表示パネル８にアイコン４０を点滅表示させる制御を行う。
【００６３】
この際、セルフタイマーにより撮像の時期が近付くにつれて点滅の間隔が短くなるようにしている。この点滅表示は、中央制御部１０が点滅に係る間隔に応じてアイコン４０の表示及び非表示の指示を表示処理部１３に出すことで行っている。このようにアイコン４０を点滅表示させることで、セルフタイマーでの撮像を好適に行える。なお、上述したようにセルフタイマーで撮像を行うときは、タリー表示と同様にモニタ部４を開いて表示パネル８を被写体の方へ向ける必要がある。
【００６４】
なお、本発明に係る撮像装置１は、上述した形態に限定されるものではなく、種々の変形例の適用が可能である。例えば、記憶したアイコンを対応付ける撮像に関連した処理は、上述した処理以外にも設定したフォーカスの種類ごとに所望のアイコンを対応付けるようにしてもよい。また、アイコンを対応付けた処理の状況に応じてアイコンの表示形態を変更する内容は、上記割り当て以外にも、タリー表示にアイコンの点滅表示、セルフタイマー撮像にアイコンの回転表示、バッテリの残量検出にアイコンの色変更、光ディスクＤの残容量検出にアイコンの一部消去を適宜割り当てるようにしてもよい。また、アイコンの表示形態としては、上述した以外にアイコンの位置変更、アイコンの寸法変更等も適用可能である。
【図面の簡単な説明】
【００６５】
【図１】本発明の実施形態に係る撮像装置の斜視図である。
【図２】実施形態の撮像装置の主要な内部構成を示すブロック図である。
【図３】（ａ）はモード選択メニューを示す概略図、（ｂ）はアイコン作成方法選択メニューを示す概略図である。
【図４】画像選択メニューを示す概略図である。
【図５】（ａ）は始点指定に係る範囲指定画面を示す概略図、（ｂ）は終点指定に係る範囲指定画面を示す概略図、（ｃ）はアイコン登録画面を示す概略図である。
【図６】（ａ）は作図画面を示す概略図、（ｂ）はカラーパレットを示す概略図、（ｃ）はアイコンの登録画面を示す概略図である。
【図７】（ａ）は項目選択画面を示す概略図、（ｂ）はアイコン選択メニューを示す概略図、（ｃ）は処理選択メニューを示す概略図である。
【図８】（ａ）はアイコンを重複表示した撮像画像を示す概略図、（ｂ）はアイコンの色を変更した状態を示す概略図、（ｃ）はアイコンの色を更に変更した状態を示す概略図である。
【図９】（ａ）はアイコンを重複表示した撮像画像を示す概略図、（ｂ）はアイコンの半分を消去した状態を示す概略図、（ｃ）はアイコンの４分の３の部分を消去した状態を示す概略図である。
【図１０】（ａ）〜（ｃ）は、アイコンを回転表示する状態を示す概略図である。
【図１１】点滅表示を示し、（ａ）アイコンの表示状態を示す概略図、（ｂ）は、アイコンの非表示状態を示す概略図である。
【符号の説明】
【００６６】
１  撮像装置
５  操作部
８  表示パネル
１０  中央制御部
１１  ＣＣＤ
１２  撮像処理部
１３  表示処理部
１５  記録コントロール部
１７  第１実装メモリ
１８  第２実装メモリ
１９  バッテリ
２０  装置プログラム
２１  管理情報
２２  アイコン
Ｄ  光ディスク
【図１】
2006325008.tif 000003
【図２】
2006325008.tif 000004
【図３】
2006325008.tif 000005
【図４】
2006325008.tif 000006
【図５】
2006325008.tif 000007
【図６】
2006325008.tif 000008
【図７】
2006325008.tif 000009
【図８】
2006325008.tif 000010
【図９】
2006325008.tif 000011
【図１０】
2006325008.tif 000012
【図１１】
2006325008.tif 000013